(57)【要約】  【課題】収容空間内に収容された物品を動きにくく収容し得るケースを提供する。  【解決手段】一枚のシートを折り曲げて形成され、外部から化粧容器Ｃを視認可能に収容し得るケースＡであって、内部に化粧容器Ｃを収容し得る収容空間ｓｐを有するとともに当該収容空間ｓｐに化粧容器Ｃを出し入れし得る開口部Ｇを有したケース本体１と、ケース本体１に連設され開口部Ｇを開閉可能な蓋体２とを備えてなり、ケース本体１が、化粧容器Ｃに設けられた隙間に挿入され得る突出片ｔを有したものであり、蓋体２が、開口部を閉塞する蓋体本体２１と、蓋体本体２１に連設され突出片ｔと係わり合う係合片２２とを有したものとした。【選択図】図１
2020090317.tif 000002
【特許請求の範囲】
【請求項１】
一枚のシートを折り曲げて形成され、外部から物品を視認可能に収容し得るケースであって、
内部に前記物品を収容し得る収容空間を有するとともに当該収容空間に前記物品を出し入れし得る開口部を有したケース本体と、このケース本体に連設され前記開口部を開閉可能な蓋体とを備えてなり、
前記ケース本体が、前記物品に設けられた隙間に挿入され得る突出片を有したものであり、
前記蓋体が、前記開口部を閉塞し得る蓋体本体と、この蓋体本体に連設され前記突出片と係わり合う係合片とを有したケース。
【請求項２】
前記係合片が、前記突出片に外嵌し得る係合凹部を備えたものである請求項１記載のケース。
【請求項３】
前記ケース本体が、略矩形状をなす底壁と、この底壁の前端縁から上方に延設された前壁と、前記底壁の後端縁から上方に延設された後壁と、前記底壁の左右の側端縁から上方に延設された左右の側壁とを備えたものであり、少なくとも前記前壁と前記後壁とによって上方に開放された前記開口部が形成されている請求項１又は２記載のケース。
【請求項４】
前記物品の少なくとも下端部が、前記底壁に対して転がりやすい形状をなす請求項３記載のケース。
【請求項５】
前記突出片が、前記後壁から前方に突出したものであり、
前記蓋体が、前記前壁から連設された前記蓋体本体と、この蓋体本体の後端部に延設された前記係合片とを備えている請求項３又は４記載のケース。
【発明の詳細な説明】
【技術分野】
【０００１】
本発明は、外部から物品を視認可能に収容し得るケースに関する。
【背景技術】
【０００２】
従来から、物品を収容し得る収容空間を有し、収容空間に収容された物品を外部から視認可能に収容し得るようにしたケースが知られている（例えば、特許文献１を参照）。
【０００３】
収容された物品が収容空間内において動いてしまった場合には、外部からは所期の姿勢とは異なる物品が視認されてしまうことになり、ケースの外観ないし見栄えを損ねてしまう恐れがある。かかる不具合を解消するために、従来は、ケースとは別個の保持部品を準備し、当該保持部品により物品を一定の姿勢に保持させケースの収納空間内において動き難くする措置が行われていた。
【０００４】
ところが、かかる構成のものであると、部品点数の抑制に限界が生じてしまうだけでなく組み立てに要する作業が煩雑化してしまうという問題が生ずるものとなる。
【先行技術文献】
【特許文献】
【０００５】
【特許文献１】実用新案登録第３１８５８３０号公報
【発明の概要】
【発明が解決しようとする課題】
【０００６】
本発明は、以上のような事情に着目してなされたもので、少なくとも、収容空間内に収容された物品を動きにくく収容し得るケースを提供することにある。
【課題を解決するための手段】
【０００７】
すなわち、本発明は次の構成をなしている。
【０００８】
請求項１に係る発明は、一枚のシートを折り曲げて形成され、外部から物品を視認可能に収容し得るケースであって、内部に前記物品を収容し得る収容空間を有するとともに当該収容空間に前記物品を出し入れし得る開口部を有したケース本体と、このケース本体に連設され前記開口部を開閉可能な蓋体とを備えてなり、前記ケース本体が、前記物品に設けられた隙間に挿入され得る突出片を有したものであり、前記蓋体が、前記開口部を閉塞し得る蓋体本体と、この蓋体本体に連設され前記突出片と係わり合う係合片とを有したケースである。
【０００９】
請求項２に係る発明は、前記係合片が、前記突出片に外嵌し得る係合凹部を備えたものである請求項１記載のケースである。
【００１０】
請求項３に係る発明は、前記ケース本体が、略矩形状をなす底壁と、この底壁の前端縁から上方に延設された前壁と、前記底壁の後端縁から上方に延設された後壁と、前記底壁の左右の側端縁から上方に延設された左右の側壁とを備えたものであり、少なくとも前記前壁と前記後壁とによって上方に開放された前記開口部が形成されている請求項１又は２記載のケースである。
【００１１】
請求項４に係る発明は、前記物品の少なくとも下端部が、前記底壁に対して転がりやすい形状をなす請求項３記載のケースである。
【００１２】
請求項５に係る発明は、前記突出片が、前記後壁から前方に突出したものであり、前記蓋体が、前記前壁から連設された前記蓋体本体と、この蓋体本体の後端部に延設された前記係合片とを備えている請求項３又は４記載のケースである。
【発明の効果】
【００１３】
以上説明したように本発明によれば、少なくとも、収容空間内に収容された物品を動きにくく収容し得るケースを提供することができるものとなる。
【図面の簡単な説明】
【００１４】
【図１】本発明の一実施形態を示す斜視図。
【図２】同実施形態における斜視図。
【図３】同実施形態における斜視図。
【図４】同実施形態における正面図。
【図５】同実施形態における物品の背面図。
【図６】図４における模式的なＸ−Ｘ線断面図。
【図７】同実施形態におけるケースの展開図。
【発明を実施するための形態】
【００１５】
以下、本発明の一実施形態を、図１〜７を参照して説明する。
【００１６】
この実施形態は、本発明を、物品である化粧容器Ｃ（化粧パウダーを収容している化粧容器）を収容し得るケースＡに適用したものである。化粧容器Ｃを収容したケースＡは、販売用の陳列用什器等に陳列可能に構成されている。
【００１７】
ケースＡは、図７に示すように、一枚のシートＳを予め設定された所定の折り線部分で折り曲げるとともに所定の部位同士を組み合わせたり接着したりすることにより形成されるものである。
【００１８】
一枚のシートＳは、合成樹脂により作られた透明又は半透明のものである。一枚のシートＳから作られたケースＡは、外部から化粧容器Ｃを視認可能に収容し得るものとなっている。
【００１９】
ケースＡは、内部に化粧容器Ｃを収容し得る収容空間ｓｐを有するとともに当該収容空間ｓｐに化粧容器Ｃを出し入れし得る開口部Ｇを有したケース本体１と、ケース本体１に連設されケース本体１に形成された開口部Ｇを開閉可能な蓋体２とを備えている。
【００２０】
化粧容器Ｃは、使用者によって使用される際には、基本的に平面視において略円形をなす姿勢をとるものであるが、ケースＡに収容された状態では水平面に対して倒立した姿勢すなわち正面視において略円形の姿勢をなしている。換言すれば、化粧容器Ｃ（の少なくとも下端部）は、ケース本体１に収容された状態において、ケース本体１の底壁１１に対して転がりやすい形状をなしている。
【００２１】
化粧容器Ｃは、内部に図示しない化粧パウダーを収容した容器本体ｃ１と、容器本体ｃ１にヒンジ部ｃ２を介して開閉可能に接続された蓋部材ｃ３とを備えたものである。ヒンジ部ｃ２には、容器本体ｃ１に対する蓋部材ｃ３の回転を許容し得る隙間ｓｋが形成されている。
【００２２】
以下、ケースＡの各構成について説明する。
【００２３】
ケース本体１は、略矩形状をなす底壁１１と、底壁１１の前端縁１１１から上方に延設された前壁１２と、底壁１１の後端縁１１２から上方に延設された後壁１３と、底壁１１の左右の側端縁から上方に延設された左右の側壁１４とを備えたものである。
【００２４】
ケース本体１には、前壁１２と後壁１３とによって、化粧容器Ｃを出し入れし得るように上方に開放された開口部Ｇが形成されている。
【００２５】
底壁１１は、略水平姿勢をなす板状のものである。底壁１１は、前端縁１１１が後端縁１１２よりも長い寸法に設定された台形状をなしている。
【００２６】
前壁１２は、起立姿勢をなす板状のものである。前壁１２は、下から上に向かって漸次左右幅寸法が大きくなる形態をなしている。前壁１２の上端縁１２１（蓋体本体２１の前縁辺２１１）は、正面視において下方に向けて凸をなす湾曲状をなしている。
【００２７】
後壁１３は、前壁１２よりも高さ寸法が大きく設定されている。後壁１３は、起立姿勢をなす板状の第一の後壁構成シート１３ａと、第一の後壁構成シート１３ａの上端縁１３ｅから連設され第一の後壁構成シート１３ａの前面側に位置する第二の後壁構成シート１３ｂとを備えている。
【００２８】
第一の後壁構成シート１３ａは、下部に設けられ前壁１２と略同じ形態に設定された下シート部分１３１と、下シート部分１３１の上に連設された上シート部分１３２とを備えている。上シート部分１３２は、正面視において収容空間ｓｐよりも上に位置している部分である。上シート部分１３２には、商品陳列用のフック（図示せず）を挿通し得るフック引っ掛け孔１３２ａが設けられている。
【００２９】
第二の後壁構成シート１３ｂは、第一の後壁構成シート１３ａに設けたフック引っ掛け孔に対応する位置にフック引っ掛け孔１３３ａが設けられている。第二の後壁構成シート１３ｂは、上部に設けられた前の上シート部分１３３と、前の上シート部分１３３の下端部から下方に向けて連設された前の下シート部分１３４とを備えている。
【００３０】
第二の後壁構成シート１３ｂにおける前の上シート部分１３３の形態と第一の後壁構成シート１３ａにおける上シート部分１３２の形態とは略同じに構成されている。第二の後壁構成シート１３ｂの下部、すなわち、前の下シート部分１３４には前方に向けて突出し得る突出片ｔが設けられている。
【００３１】
突出片ｔは、Ｕ字状のスリットｓｌにより切り起こされたものである。突出片ｔは、化粧容器Ｃに設けられたヒンジ部ｃ２の隙間ｓｋに挿入され得るものとなっている。すなわち、この実施形態のケース本体１は、後壁１３から前方に突出し、化粧容器Ｃに設けられた隙間ｓｋに挿入され得る突出片ｔを有したものとなっている。
【００３２】
後壁１３は、前後に重ね合わされた第一、第二の後壁構成シート１３ａ、１３ｂにより構成されている。後壁１３を、このように前後方向に重合させた構成とすることにより、一定の剛性を確保することができるのみならず、背面側に突出片ｔを設けることに伴う連通孔ｒが露出しないものとなる。しかも、後壁１３を、第一、第二の後壁構成シート１３ａ、１３ｂを有した構成とすれば、一枚のシートＳの一面側（展開図における背面側）のみに商品等の説明に必要な所定の印刷を施すだけで、当該印刷の表示が最終的に前後両方（ケースＡの形態をなす場合の第一の後壁構成シート１３ａの背面側と第二の後壁構成シート１３ｂの前面側）に表示され得るものとなる。
【００３３】
左右の側壁１４は、下から上に向かって漸次左右幅寸法が小さくなるように設定されている。この実施形態では、左右の側壁１４は上方に向けて凸をなす三角形状をなしている。
【００３４】
なお、一方の側壁１４には接着片１４１が設けられている。接着片１４１は、後壁１３の背面（第一の後壁構成シート１３ａの背面）に対して接着剤等の接着手段により接着されるようになっている。
【００３５】
蓋体２は、ケース本体１に形成された開口部Ｇを閉塞し得る蓋体本体２１と、蓋体本体２１に連設され突出片ｔと係わり合う係合片２２とを有したものである。
【００３６】
蓋体本体２１は、前壁１２から連設されている。蓋体本体２１は、凸レンズの断面のような形状をなしている。すなわち、蓋体本体２１は、前方に向かって凸をなすように湾曲する前縁辺２１１と、後方に向かって凸をなすように湾曲する後縁辺２１２とを有したものである。前縁辺２１１と後縁辺２１２の湾曲率は略同じ値に設定されている。
【００３７】
係合片２２は、蓋体本体２１の後端部から延設されたものである。係合片２２は、蓋体本体２１における後縁辺２１２の左右方向中間部から下方に向かって突出するように延設されている。係合片２２は、下端部にケース本体１の後壁１３に設けた突出片ｔに外嵌し得る係合凹部２２１を備えている。すなわち、突出片ｔの係合凹部２２１は下向きに開放されている。そして、係合凹部２２１は、前方に突出した突出片ｔの両側縁と係わり得る形状をなしている。
【００３８】
以上説明したように、本実施形態に係るケースＡは、一枚のシートＳを折り曲げて形成され、外部から物品である化粧容器Ｃを視認可能に収容し得るものである。そして、ケースＡは、内部に化粧容器Ｃを収容し得る収容空間ｓｐを有するとともに当該収容空間ｓｐに化粧容器Ｃを出し入れし得る開口部Ｇを有したケース本体１と、ケース本体１に連設され開口部Ｇを開閉可能な蓋体２とを備えている。ケース本体１は、化粧容器Ｃに設けられた隙間ｓｋに挿入され得る突出片ｔを有したものであり、蓋体２は、開口部Ｇを閉塞し得る蓋体本体２１と、この蓋体本体２１に連設されケース本体１の突出片ｔと係わり合う係合片２２とを有している。このため、収容空間ｓｐ内に収容された化粧容器Ｃを動きにくく安定的に収容し得るケースＡを提供することができるものとなる。
【００３９】
つまり、ケース本体１に設けられた突出片ｔが化粧容器Ｃの隙間ｓｋに挿入され得るものであるため、化粧容器Ｃを所定の姿勢に好適に保持し得るものとなっている。
【００４０】
本実施形態のように、化粧容器Ｃが収容された状態において底壁１１に対して転がりやすい正面視略円形状の姿勢を採るものであっても、突出片ｔが化粧容器Ｃを所定の姿勢に適切に維持し得るものとなる。
【００４１】
しかも、蓋体２の係合片２２がケース本体１の突出片ｔと係り合うようになっているため、蓋体２を所定の姿勢すなわち開口部Ｇを閉塞する姿勢に適切に保持し得るものとなっている。
【００４２】
特に、この実施形態における蓋体本体２１は、凸レンズの断面に似た形状をなしている。そのため、蓋体２は、ケース本体１に対して閉塞した姿勢に保持され難い形態をなしている。しかも、ケース本体１と蓋体２とは合成樹脂製のシート材により連続して形成されているため、ケース本体１の前壁１２と蓋体２とがフラットな姿勢をなすように姿勢変更し易いものとなっている。しかしながら、本実施形態のケースＡであれば、突出片ｔと係合片２２との係わり合いによって蓋体２の閉塞姿勢を適切に維持し得るものとなっている。
【００４３】
係合片２２が、突出片ｔに外嵌し得る係合凹部２２１を備えたものである。このため、ケース本体１に設けられた突出片ｔに対して蓋体２に設けた係合片２２が好適に係合し得るものとなっている。
【００４４】
ケース本体１が、略矩形状をなす底壁１１と、底壁１１の前端縁１１１から上方に延設された前壁１２と、底壁１１の後端縁１１２から上方に延設された後壁１３と、底壁１１の左右の側端縁から上方に延設された左右の側壁１４とを備えたものである。そして、前壁１２と後壁１３とによって上方に開放された開口部Ｇが形成されている。つまり、開口部Ｇは、単純な矩形状のものとなっていない。このようなものにおいても、蓋体２の係合片２２がケース本体１の突出片ｔと係合し得るため、蓋体２を閉塞した姿勢に適切に保持し得るものとなっている。
【００４５】
突出片ｔが、後壁１３から前方に突出したものであり、蓋体２が、前壁１２から連設された蓋体本体２１と、蓋体本体２１の後端部に延設された係合片２２とを備えている。このため、蓋体２の係合片２２とケース本体１の突出片ｔとを適切に係り合わせることができる位置設定がなされている。
【００４６】
しかも、かかる構成のものであれば、ケース本体１における前壁１２の内面側に蓋体２の一部が重ならないことになり、収容空間ｓｐ内に収容された化粧容器Ｃが前壁１２を通じて好適に視認され得るものとなっている。
【００４７】
なお、本発明は、以上に詳述した実施形態に限られるものではない。
【００４８】
ケース本体及び蓋体の形状は種々の形状を採り得るものであることは言うまでもない。
【００４９】
例えば、ケース本体が矩形箱状をなしたものであり、蓋体がケース本体の矩形状の開口部を閉塞し得る矩形状の蓋体本体を有したものであってもよい。
【００５０】
ケース本体の開口部は、必ずしも上向きに開放されたものに限られない。開口部は、側方に開放されたものであってもよい。
【００５１】
物品は、化粧容器に限られるものではなく、どのようなものであってもよい。物品の隙間は、突出片を挿通させるために積極的に設けたものであってもよいのはもちろんのことである。
【００５２】
係合片は、突出部に外嵌するものに限られない。例えば係合片の一部が突出部に作られた孔に内嵌し得るように構成されたものであってもよい。
【００５３】
後壁は、上述した実施形態のような第一、第二の後壁構成シートを重ね合わせたものでなくてもよい。
【００５４】
その他、各部の具体的構成についても上記実施形態に限られるものではなく、本発明の趣旨を逸脱しない範囲で種々変形が可能である。
【符号の説明】
【００５５】
Ａ…ケース
１…ケース本体
２…蓋体
２１…蓋体本体
２２…係合片
ｓｐ…収容空間
ｔ…突出片
Ｃ…化粧容器（物品）
【図１】
2020090317.tif 000003
【図２】
2020090317.tif 000004
【図３】
2020090317.tif 000005
【図４】
2020090317.tif 000006
【図５】
2020090317.tif 000007
【図６】
2020090317.tif 000008
【図７】
2020090317.tif 000009
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
一枚のシートを折り曲げて形成され、外部から物品を視認可能に収容し得るケースであって、
内部に前記物品を収容し得る収容空間を有するとともに当該収容空間に前記物品を出し入れし得る開口部を有したケース本体と、このケース本体に連設され前記開口部を開閉可能な蓋体とを備えてなり、
前記ケース本体が、前記物品に設けられた隙間に挿入され得る突出片を有したものであり、
前記蓋体が、前記開口部を閉塞し得る蓋体本体と、この蓋体本体に連設され前記突出片と係わり合う係合片とを有したものであり、
前記ケース本体が、略矩形状をなす底壁と、この底壁の前端縁から上方に延設された前壁と、前記底壁の後端縁から上方に延設された後壁と、前記底壁の左右の側端縁から上方に延設された左右の側壁とを備えたものであり、前記前壁及び前記後壁のみによって上方に開放された前記開口部が形成されているケース。
【請求項２】
前記係合片が、前記突出片に外嵌し得る係合凹部を備えたものである請求項１記載のケース。
【請求項３】
前記物品の少なくとも下端部が、前記底壁に対して転がりやすい形状をなす請求項１又は２記載のケース。
【請求項４】
前記突出片が、前記後壁から前方に突出したものであり、
前記蓋体が、前記前壁から連設された前記蓋体本体と、この蓋体本体の後端部に延設された前記係合片とを備えている請求項１、２又は３記載のケース。
【手続補正２】
【補正対象書類名】明細書
【補正対象項目名】０００８
【補正方法】変更
【補正の内容】
【０００８】
請求項１に記載の発明は、一枚のシートを折り曲げて形成され、外部から物品を視認可能に収容し得るケースであって、内部に前記物品を収容し得る収容空間を有するとともに当該収容空間に前記物品を出し入れし得る開口部を有したケース本体と、このケース本体に連設され前記開口部を開閉可能な蓋体とを備えてなり、前記ケース本体が、前記物品に設けられた隙間に挿入され得る突出片を有したものであり、前記蓋体が、前記開口部を閉塞し得る蓋体本体と、この蓋体本体に連設され前記突出片と係わり合う係合片とを有したものであり、前記ケース本体が、略矩形状をなす底壁と、この底壁の前端縁から上方に延設された前壁と、前記底壁の後端縁から上方に延設された後壁と、前記底壁の左右の側端縁から上方に延設された左右の側壁とを備えたものであり、前記前壁及び前記後壁のみによって上方に開放された前記開口部が形成されているケースである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項３に係る発明は、前記物品の少なくとも下端部が、前記底壁に対して転がりやすい形状をなす請求項１又は２記載のケースである。
【手続補正５】
【補正対象書類名】明細書
【補正対象項目名】００１２
【補正方法】変更
【補正の内容】
【００１２】
請求項４に係る発明は、前記突出片が、前記後壁から前方に突出したものであり、前記蓋体が、前記前壁から連設された前記蓋体本体と、この蓋体本体の後端部に延設された前記係合片とを備えている請求項１、２又は３記載のケースである。